(57)【要約】【課題】吊り装置に垂直の起立姿勢で吊り下げられているため、地面に寝かせた横向き姿勢の分割作業ロッドに接続するのが容易でないという課題がある。【解決手段】上側接続部１０と下側接続部１１とをそれぞれ設けた分割作業ロッド１を、長さ方向に継ぎ足して土木作業に使用される機器の作業ロッドＲとし、この作業ロッドＲとするために分割作業ロッド１の継ぎ足し分割作業に使用する吊り金具１５を、上側接続部１０と下側接続部１１の何れかに接続する金具側接続部１９と吊り装置Ｔに吊り下げられる係合部材２１を取付ける吊用取付部１８とを設けて構成し、該吊り金具１５は接続する前の分割作業ロッド１の姿勢に合わせて、吊り装置Ｔに吊り下げる吊り金具１５の姿勢を姿勢変更保持手段３０により変更させて保持し、もって、吊り金具１５の金具側接続部１９の軸心方向を分割作業ロッド１の上側接続部１０または下側接続部１１に対峙させる構成とした吊り金具。【選択図】図１０
2019043709.tif 000002
【特許請求の範囲】
【請求項１】
所定長さを有して形成し、その上下両端に継ぎ足すための上側接続部１０と下側接続部１１とをそれぞれ設けた分割作業ロッド１を、長さ方向に継ぎ足して土木作業に使用される機器の作業ロッドＲとし、この作業ロッドＲとするために分割作業ロッド１の継ぎ足し分割作業に使用する吊り金具１５を、分割作業ロッド１の上側接続部１０と下側接続部１１の何れかに接続する金具側接続部１９と吊り金具１５を吊り下げる吊り装置Ｔに吊り下げられる係合部材２１を取付ける吊用取付部１８とを設けて構成し、該吊り金具１５は、接続する前の分割作業ロッド１の姿勢に合わせて、吊り装置Ｔに吊り下げる吊り金具１５の姿勢を姿勢変更保持手段３０により変更させて保持し、もって、吊り金具１５の金具側接続部１９の軸心方向を分割作業ロッド１の上側接続部１０または下側接続部１１に対峙させる構成とした吊り金具。
【請求項２】
請求項１において、前記姿勢変更保持手段３０は、吊り装置Ｔ側に係合する上側連結部３１を、下部に吊り金具１５側の金具側係合部３２に係合する下側連結部３３をそれぞれ設けて構成し、前記金具側係合部３２は前記吊り金具１５を横向き姿勢とした状態の重心Ｇの略上方に配置した吊り金具。
【請求項３】
請求項２において、前記姿勢変更保持手段３０は、継ぎ目の無い「Ｏ」型形状に形成した吊り金具。
【請求項４】
請求項２において、前記姿勢変更保持手段３０は、一対の「Ｕ」の字形状の半割部材３８を軸形状の連結軸部材３９により連結して「Ｏ」の形状に形成した吊り金具。
【請求項５】
請求項１〜請求項４の何れかにおいて、前記金具側係合部３２は突起３６により前記姿勢変更保持手段３０が係合する係合溝３７を形成して構成した吊り金具。
【請求項６】
請求項１〜請求項５の何れかにおいて、前記姿勢変更保持手段３０は、吊り金具１５側に取付ける連結部材３０Ａと、前記吊り装置Ｔ側に取付けた第二連結部材３０Ｂとにより構成した吊り金具。
【請求項７】
吊り装置Ｔにより昇降する接続金具３５に吊り金具１５の吊用取付部１８の挿通孔２０に挿通した係合部材２１を係合させて、吊り金具１５を起立状態に吊り下げ、次に、一旦、吊り下げた吊り金具１５を吊り装置Ｔにより下降させて吊り金具１５の金具側接続部１９の軸心方向が水平方向となる横向き姿勢とし、この状態で、吊り金具１５の金具側係合部３２に回動自在に取付けた姿勢変更保持手段３０の上側連結部３１を前記接続金具３５に係合させ、吊り金具１５の横向き姿勢を保持し、この状態で、吊り装置Ｔにより吊り金具１５を横向き姿勢の分割作業ロッド１の下側接続部１１に接近移動させて接続し、次に、姿勢変更保持手段３０による姿勢保持状態を解除し、吊り金具１５と分割作業ロッド１を、吊り装置Ｔにより上昇させて運搬し、運搬した分割作業ロッド１の下側接続部１１を別途用意した分割作業ロッド１の上側接続部１０に接続し、次に、分割作業ロッド１の上側接続部１０から吊り金具１５を取り外し、取り外した吊り金具１５を、前記のように姿勢変更保持手段３０により横向き姿勢に変更保持して次の接続作業用の別の横向きの分割作業ロッド１に接続し、これを反復して、複数の分割作業ロッド１を接続して土木作業に使用する所望長さの作業ロッドＲとする吊り金具の使用方法。
【発明の詳細な説明】
【技術分野】
【０００１】
本発明は、掘削機のスクリューロッド、撹拌機の撹拌ロッド、その他種々の作業を行う作業ロッドとするために、この作業ロッドを分割した分割ロッドの継ぎ足し、分割等の作業に使用される吊り金具および吊り金具の使用方法に係るものである。
【背景技術】
【０００２】
従来、吊り装置に吊り金具を吊り下げ、この吊り金具を作業ロッドを長さ方向に分割した分割作業ロッドに接続し、吊り金具と分割作業ロッドを吊り下げて運搬して、分割作業ロッドの接続作業あるいは分割作業を行う方法は、公知である（特許文献１）
【先行技術文献】
【特許文献】
【０００３】
【特許文献１】特開２００１−１７３３５２
【発明の概要】
【発明が解決しようとする課題】
【０００４】
前記公知例の吊り金具は、吊り装置に垂直の起立姿勢で吊り下げられているため、直立姿勢の分割作業ロッドへの装着は容易であるが、地面に寝かせた横向き姿勢の分割作業ロッドに接続するのが容易でないという課題がある。
すなわち、公知例の吊り金具の形状では、分割作業ロッドの接続端部の差し込み方向がクレーンで吊られた吊り金具に対し直交しており、人力作業では重作業であり、かつ、吊り金具自体が不安定な姿勢になり、分割作業ロッドに接続するのが容易でなかった。
本願は、吊り金具の構成を工夫し、分割作業ロッドへの装着作業を容易にし、ひいては、分割作業ロッドを作業ロッドとする接続あるいは分割作業の全般を容易にするものである。
【課題を解決するための手段】
【０００５】
請求項１の発明は、所定長さを有して形成し、その上下両端に継ぎ足すための上側接続部１０と下側接続部１１とをそれぞれ設けた分割作業ロッド１を、長さ方向に継ぎ足して土木作業に使用される機器の作業ロッドＲとし、この作業ロッドＲとするために分割作業ロッド１の継ぎ足し分割作業に使用する吊り金具１５を、分割作業ロッド１の上側接続部１０と下側接続部１１の何れかに接続する金具側接続部１９と吊り金具１５を吊り下げる吊り装置Ｔに吊り下げられる係合部材２１を取付ける吊用取付部１８とを設けて構成し、該吊り金具１５は、接続する前の分割作業ロッド１の姿勢に合わせて、吊り装置Ｔに吊り下げる吊り金具１５の姿勢を姿勢変更保持手段３０により変更させて保持し、もって、吊り金具１５の金具側接続部１９の軸心方向を分割作業ロッド１の上側接続部１０または下側接続部１１に対峙させる構成とした吊り金具としたものである。
請求項２の発明は、前記姿勢変更保持手段３０は、吊り装置Ｔ側に係合する上側連結部３１を、下部に吊り金具１５側の金具側係合部３２に係合する下側連結部３３をそれぞれ設けて構成し、前記金具側係合部３２は前記吊り金具１５を横向き姿勢とした状態の重心Ｇの略上方に配置した吊り金具としたものである。
請求項３の発明は、前記姿勢変更保持手段３０は、継ぎ目の無い「Ｏ」型形状に形成した吊り金具としたものである。
請求項４の発明は、前記姿勢変更保持手段３０は、一対の「Ｕ」の字形状の半割部材３８を軸形状の連結軸部材３９により連結して「Ｏ」の形状に形成した吊り金具としたものである。
請求項５の発明は、前記金具側係合部３２は突起３６により前記姿勢変更保持手段３０が係合する係合溝３７を形成して構成した吊り金具としたものである。
請求項６の発明は、前記姿勢変更保持手段３０は、吊り金具１５側に取付ける連結部材３０Ａと、前記吊り装置Ｔ側に取付けた第二連結部材３０Ｂとにより構成した吊り金具としたものである。
請求項７の発明は、吊り装置Ｔにより昇降する接続金具３５に吊り金具１５の吊用取付部１８の挿通孔２０に挿通した係合部材２１を係合させて、吊り金具１５を起立状態に吊り下げ、次に、一旦、吊り下げた吊り金具１５を吊り装置Ｔにより下降させて吊り金具１５の金具側接続部１９の軸心方向が水平方向となる横向き姿勢とし、この状態で、吊り金具１５の金具側係合部３２に回動自在に取付けた姿勢変更保持手段３０の上側連結部３１を前記接続金具３５に係合させ、吊り金具１５の横向き姿勢を保持し、この状態で、吊り装置Ｔにより吊り金具１５を横向き姿勢の分割作業ロッド１の下側接続部１１に接近移動させて接続し、次に、姿勢変更保持手段３０による姿勢保持状態を解除し、吊り金具１５と分割作業ロッド１を、吊り装置Ｔにより上昇させて運搬し、運搬した分割作業ロッド１の下側接続部１１を別途用意した分割作業ロッド１の上側接続部１０に接続し、次に、分割作業ロッド１の上側接続部１０から吊り金具１５を取り外し、取り外した吊り金具１５を、前記のように姿勢変更保持手段３０により横向き姿勢に変更保持して次の接続作業用の別の横向きの分割作業ロッド１に接続し、これを反復して、複数の分割作業ロッド１を接続して土木作業に使用する所望長さの作業ロッドＲとする吊り金具の使用方法としたものである。
【発明の効果】
【０００６】
請求項１の発明では、吊り金具１５を接合させようとする分割作業ロッド１の軸心方向に一致するように、姿勢変更保持手段３０により姿勢を保持して吊り下げて、吊り装置Ｔにより吊り金具１５の重量を支持したまま移動させ、この支持状態で吊り金具１５と分割作業ロッド１との位置合わせと接続あるいは分割作業を行えるので、作業を容易にできる。
請求項２の発明では、姿勢変更保持手段３０を、上部に吊り装置Ｔ側に係合する上側連結部３１を、下部に吊り金具１５側の金具側係合部３２に係合する下側連結部３３を設け、吊り金具１５の金具側係合部３２を横向き姿勢の重心Ｇの上方に配置しているので、姿勢変更保持手段３０により簡単に吊り金具１５を横向き姿勢に保持することができ、しかも、姿勢変更保持手段３０の構成を簡素にできる。
請求項３の発明では、姿勢変更保持手段３０を継ぎ目の無い「Ｏ」型形状に形成しているので、姿勢変更保持手段３０の構成を簡素にできる。
請求項４の発明では、姿勢変更保持手段３０を、一対の「Ｕ」の字形状の半割部材３８を軸形状の連結軸部材３９により連結して「Ｏ」の形状に形成しているので、吊り金具１５の金具側係合部３２の形状を問わず、金具側係合部３２に係合させることができ、汎用性を向上させることができる。
請求項５の発明では、金具側係合部３２は突起３６により前記姿勢変更保持手段３０が係合する係合溝３７を形成しているので、姿勢変更保持手段３０の係合および離脱作業を容易にできる。
請求項６の発明では、姿勢変更保持手段３０を、吊り金具１５側に取付ける連結部材３０Ａと、吊り装置Ｔ側に取付けた第二連結部材３０Ｂとにより構成しているので、接続金具３５に吊り金具１５の係合部材２１を係合させて吊り下げた状態から、横向き姿勢に姿勢変更が容易にでき、分割作業ロッド１に装着後に分割作業ロッド１を上昇させる上昇作業への移行も容易にできる。
請求項７の発明では、吊り金具１５を接合させようとする分割作業ロッド１の軸心方向に一致するように、姿勢変更保持手段３０により姿勢を保持して吊り下げて、Ｔにより吊り金具１５の重量を支持したまま移動させ、この支持状態で吊り金具１５と分割作業ロッド１との位置合わせと接続あるいは分割作業を行えるので、作業を容易にできる。
【図面の簡単な説明】
【０００７】
【図１】掘削作業機の側面図。
【図２】同吊り装置に吊り金具により分割作業ロッドを吊り下げた状態の側面図。
【図３】吊り金具により分割作業ロッドを吊り下げ状態側面図。
【図４】係合部材を省略した吊り金具の断面図。
【図５】吊り金具の係合部材の正面図および側面図。
【図６】係合部材を省略した吊り金具の側面図。
【図７】同正面図。
【図８】同断面図。
【図９】吊り金具の横断面図。
【図１０】横向き姿勢の分割作業ロッドへの吊り金具の装着例の側面図。
【図１１】（Ａ）姿勢変更保持手段により吊り金具を横向き姿勢にした側面図。              （Ｂ）連結部材の正面図および側面図。                                        （Ｃ）連結部材の他の実施形態の正面図および側面図。                          （Ｄ）連結部材の他の実施形態の正面図および側面図。
【図１２】姿勢変更保持手段により吊り金具を横向き姿勢に姿勢変更した側面図。
【図１３】図１１（Ｂ）の姿勢変更保持手段により吊り金具を横向き姿勢にした際の金具側係合部の他の実施形態の側面図。
【図１４】図１１（Ｂ）の姿勢変更保持手段により吊り金具を横向き姿勢にした際の金具側係合部の他の実施形態の側面図および正面図。
【図１５】図１１（Ｃ）の姿勢変更保持手段により吊り金具を横向き姿勢にした際の他の実施形態の側面図。
【図１６】金具側係合部の他の実施形態の側面図。
【図１７】金具側係合部の他の実施形態の側面図および正面図。
【図１８】図１１（Ｃ）の姿勢変更保持手段により吊り金具を横向き姿勢にする前の側面図。
【図１９】図１１（Ｄ）の姿勢変更保持手段により吊り金具を横向き姿勢にした側面図および正面図。
【図２０】種々の連結部材を組み合わせて姿勢変更保持手段とした実施形態の側面図および正面図。
【図２１】吊り金具の他の実施形態の側面図および正面図。
【図２２】吊り金具の金具側接続部の他の実施形態の側面図および正面図。
【図２３】吊り金具の金具側接続部の他の実施形態の側面図および正面図。
【図２４】吊り金具の他の実施形態の側面図。
【発明を実施するための形態】
【０００８】
本発明の一実施形態を図面により説明すると、１は土木作業（掘削作業や土壌改良作業）等に使用される機器の作業ロッドＲを構成する分割作業ロッドであり、所謂掘削装置のスクリューロッドや撹拌機の撹拌ロッドの総称として本例で使用している。
図１は分割作業ロッド１を使用する掘削装置２の一例を示し、３はベースマシン、４はベースマシン３に設けたリーダー、５はリーダー４に昇降自在に取付けた回転駆動部であり、回転駆動部５の回転軸体６に前記分割作業ロッド１の上部を取付けている。
なお、本発明の本実施形態の説明するにあたり、理解を容易にするために、上下左右等の方向を用いて説明しているが、このことによって本発明の構成が限定的に解釈されることはない。
【０００９】
前記作業ロッドＲは、所定長さを有して形成した分割作業ロッド１を複数継ぎ足して構成し、各分割作業ロッド１の上下両端には継ぎ足すための上側接続部１０と下側接続部１１とをそれぞれ設け、複数の分割作業ロッド１を長さ方向に継ぎ足して前記作業ロッドＲとして使用する。
この作業ロッドＲとするための分割作業ロッド１の継ぎ足し、切り離し等のために使用する吊り金具１５が本発明の要旨となるものであり、吊り金具１５は各分割作業ロッド１を各種の吊り装置Ｔで吊すときに使用する吊用取付部１８と分割作業ロッド１の上側接続部１０に接続される金具側接続部１９を設けて構成する。
ここで、吊り装置Ｔの構成は本願の要件では無く、その構成は任意であり、吊り金具１５を吊り下げて昇降させられればよく、本実施形態では、一例として、クレーン（図示省略）のワイヤー１６の吊用フック１７としているが、例えば、図示は省略するが、油圧式ショベルのショベル下面に吊用フックを設け、この油圧式ショベルを吊り装置Ｔとしてもよい。
【００１０】
吊り金具１５の吊用取付部１８は所定の板厚を有する板部材により形成し、吊用取付部１８には左右方向に貫通する挿通孔２０を設ける。挿通孔２０にはワイヤー１６に設けた吊り装置Ｔ（吊用フック１７）に係合する係合部材２１を取付ける。
係合部材２１の構成は任意であるが、一例を示すと、逆さ「Ｕ」の字形状の一対の係合部２２の下部を軸部材２３により連結して構成し（図５）、一対の係合部２２を吊用取付部１８の挿通孔２０の左右両側に位置させ、この状態の係合部２２を挿通孔２０に挿通した軸部材２３により連結して、係合部材２１を吊り金具１５に取付ける。
そのため、係合部材２１は、軸部材２３を吊り装置Ｔ（吊用フック１７）に係合させて吊り金具１５を吊り上げる。
吊り金具１５の金具側接続部１９には分割作業ロッド１の上側接続部１０を接続する嵌合穴２５を設け、金具側接続部１９内には上側接続部１０の係合溝２６に係合させる係合ピン２７を挿入するピン挿入孔２８を設ける（図４）。
【００１１】
しかして、分割作業ロッド１を吊り装置Ｔ（吊用フック１７）により吊り上げるには、分割作業ロッド１の上側接続部１０に吊り金具１５の金具側接続部１９を接続し、吊り金具１５の係合部材２１を吊り装置Ｔ（吊用フック１７）に引っ掛けて吊り上げることになるが、吊り金具１５は所定の重量を有して構成されており、人力作業で吊り金具１５を持ち上げて分割作業ロッド１に接続するのは容易ではないので、吊り装置Ｔ（吊用フック１７）により吊り金具１５を吊り下げた状態で分割作業ロッド１に接続する。
この場合、吊り金具１５を接続する前の分割作業ロッド１の姿勢に合わせて、起立状態の吊り金具１５の吊り下げ姿勢を姿勢変更保持手段３０により横倒れの横向き姿勢に変更させて保持し、この状態で、吊り金具１５の金具側接続部１９の軸心方向（接続方向）を分割作業ロッド１の上側接続部１０に対峙させて接続する。
【００１２】
この場合の姿勢変更保持手段３０は、吊り装置Ｔ（吊用フック１７）側と吊り金具１５側を連結する構成であればよく、構成は任意であり、一例を示すと、姿勢変更保持手段３０は吊り装置Ｔ側に装着（係合）する上側連結部３１と、吊り金具１５側に装着（係合）する下側連結部３３を有した連結部材３０Ａにて構成している。
そのため、姿勢変更保持手段３０の連結部材３０Ａの上側連結部３１を吊り装置Ｔ（吊用フック１７）に係合させ、姿勢変更保持手段３０の連結部材３０Ａの下側連結部３３を吊り金具１５に設けた金具側係合部３２に係合させると、吊り金具１５は横向き姿勢で吊り装置Ｔ（吊用フック１７）に吊り下げられ、横倒れの姿勢の分割作業ロッド１に吊り金具１５の金具側接続部１９を容易に接続できる。
【００１３】
姿勢変更保持手段３０の連結部材３０Ａは吊り装置Ｔ（吊用フック１７）側に吊り下げられる構成であればよく、その構成は任意であり、図１１Ｂの連結部材３０Ａは所謂マスターリンクと称される継ぎ目の無い「Ｏ」型形状に構成し、連結部材３０Ａの上部の円弧部が上側連結部３１となり、連結部材３０Ａの下部の円弧部が下側連結部３３に構成される。
図１１Ｃの姿勢変更保持手段３０の連結部材３０Ａは一対の「Ｕ」の字形状の半割部材３８を軸形状の連結軸部材３９により連結して「Ｏ」の形状に形成している。
図１１Ｄの姿勢変更保持手段３０の連結部材３０Ａは、逆さ「Ｕ」の字形状の一対の係合脚４０の下部を軸部材４１により連結して構成し、一対の係合脚４０を吊り装置Ｔ（吊用フック１７）に吊り下げる構成としている。
【００１４】
このように、姿勢変更保持手段３０の連結部材３０Ａの上側連結部３１を吊り装置Ｔ（吊用フック１７）側に吊り下げ、連結部材３０Ａの下側連結部３３を吊り金具１５の金具側係合部３２に係合させ、この状態で、吊り装置Ｔ（吊用フック１７）により上昇させると、吊り金具１５は吊り装置Ｔ（吊用フック１７）に横向きに吊り下げられる（図１１、図１２等）。
このとき、金具側係合部３２は横向き姿勢の吊り金具１５の重心Ｇの略上方位置に設ける。
すなわち、吊り金具１５は姿勢変更保持手段３０のみにより吊り金具１５を吊り装置Ｔ（吊用フック１７）に横向きに吊り下げるために、金具側係合部３２は横向き吊り金具１５の重心Ｇの略上方位置に設けており、後述する図１２のように、吊り装置Ｔ（吊用フック１７）に吊り下げた接続金具３５（第二連結部材３０Ｂ）に連結部材３０Ａを吊り下げた場合でも、連結部材３０Ａの下側連結部３３は吊り金具１５の重心Ｇの略上方位置にある金具側係合部３２に係合して、吊り装置Ｔ（吊用フック１７）に横向きに吊り下げられることになる。
【００１５】
しかして、姿勢変更保持手段３０の連結部材３０Ａの下側連結部３３を装着（係合）させる吊り金具１５側となる金具側係合部３２の構成も任意であり、図４、図１１の実施形態では金具側係合部３２は突起３６により係合溝３７を形成して構成しており、図１１の金具側係合部３２は起立姿勢状態の吊り金具１５を基準に下向きに係合溝３７を形成しているが、図１３の金具側係合部３２は起立姿勢状態の吊り金具１５を基準に上向きに係合溝３７を形成しており、図１４の金具側係合部３２は起立姿勢状態の吊り金具１５を基準に左右方向の左右いずれかの方向に係合溝３７を開口させて形成している。
【００１６】
また、姿勢変更保持手段３０の連結部材３０Ａを吊り装置Ｔ（吊用フック１７）側に吊り下げる構成あるいは吊り下げ作業および姿勢変更の作業順序も任意であり、図１５の実施形態では一対の「Ｕ」の字形状の半割部材３８を軸形状の連結軸部材３９により連結して形成した連結部材３０Ａと、吊り装置Ｔ（吊用フック１７）に予め吊り下げた接続金具３５（第二連結部材３０Ｂ）とにより姿勢変更保持手段３０を構成している。
そのため、吊り装置Ｔ（吊用フック１７）に予め接続金具３５（第二連結部材３０Ｂ）を吊り下げておき、接続金具３５（第二連結部材３０Ｂ）に吊り下げた連結部材３０Ａを吊り金具１５の金具側係合部３２に係合させて、吊り金具１５を横向きの吊り姿勢に保持している。
この場合、吊り金具１５は、連結部材３０Ａと接続金具３５（第二連結部材３０Ｂ）とにより横向きに吊り下げられるので、連結部材３０Ａと接続金具３５（第二連結部材３０Ｂ）とが姿勢変更保持手段３０となる。
【００１７】
図１６、図１７では、開口方向の向きを変えた金具側係合部３２の係合溝３７に半割部材３８により形成した連結部材３０Ａにより吊り金具１５を吊り下げた状態を示している。
また、図１８のように、予め吊り装置Ｔ（吊用フック１７）に接続金具３５（第二連結部材３０Ｂ）を吊設しておき、この接続金具３５に係合部材２１を予め挿通させて吊り金具１５が起立姿勢となるように吊り装置Ｔ（吊用フック１７）に吊り下げておき、この状態のままの吊り金具１５は垂直状態の分割作業ロッド１に接続するが、横向きの分割作業ロッド１に接続するときには、例えば、一旦、ワイヤー１６を緩めて、吊り装置Ｔ（吊用フック１７）を下降させて、吊り金具１５を横向きにし、この状態で、吊り装置Ｔ（吊用フック１７）の接続金具３５に挿通させておいた半割部材３８の連結部材３０Ａを吊り金具１５の金具側係合部３２に係合させて、吊り金具１５を横向きに吊り下げる（図１３）。
【００１８】
このように、姿勢変更保持手段３０を、連結部材３０Ａと接続金具３５（第二連結部材３０Ｂ）との複数の部材で構成し、接続金具３５（第二連結部材３０Ｂ）に連結部材３０Ａを挿通させておくと、横向き姿勢で分割作業ロッド１に取付けた吊り金具１５を吊り上げるとき、連結部材３０Ａを金具側係合部３２から離脱させるだけで、分割作業ロッド１の吊り下げ姿勢に移行させることができ、作業全般を容易にする。
図１９は、図１１Ｄに示した連結部材３０Ａにより吊り金具１５を横向きにした状態を示し、一対の係合脚４０を吊り装置Ｔ（吊用フック１７）に直接吊り下げており、連結部材３０Ａの軸部材４１は吊り金具１５側に設けた透孔４３により形成した金具側係合部３２に挿通させた構成としている。
そのため、予め、連結部材３０Ａの軸部材４１を姿勢変更保持手段３０は吊り金具１５の金具側係合部３２である透孔４３に挿通し、この軸部材４１に係合脚４０の下部を取付けて、連結部材３０Ａを吊り金具１５に装着し、この連結部材３０Ａの係合脚４０を起立させて吊り装置Ｔ（吊用フック１７）に吊り下げて、横向き姿勢にする。
【００１９】
図２０は姿勢変更保持手段３０の別の実施形態を示し、吊り装置Ｔ（吊用フック１７）に吊り下げる接続金具３５（第二連結部材３０Ｂ）に、リング部材４４（連結部材３０Ａ）により中間フック４５（第三連結部材３０Ｃ）を予め吊設しておき、吊り金具１５側の金具側係合部３２を軸部材により逆さ「Ｕ」の字形状に形成した係合孔４６に、中間フック４５（第三連結部材３０Ｃ）を係合させて吊り金具１５を横向きに吊り下げる構成としている。
なお、吊り金具１５の姿勢は横倒れ姿勢以外に、金具側係合部３２の吊り金具１５に対する相対的位置を変更する等の構成により、斜めの姿勢に姿勢変更保持手段３０により姿勢保持してもよく、任意の手段で設置保管されている分割作業ロッド１の保管姿勢に合わせられればよい。
【００２０】
本発明は、分割作業ロッド１を吊り下げる吊り金具１５の姿勢を変更可能に構成することが要旨であり、分割作業ロッド１の上側接続部１０と下側接続部１１および吊り金具１５の金具側接続部１９の構成は要件ではなく、図４の金具側接続部１９は所謂雌雄の継ぎ手の雌の継ぎ手形状に形成しているが、分割作業ロッド１の上側接続部１０を雌の継ぎ手形状に、吊り金具１５の金具側接続部１９を雄の継ぎ手形状にそれぞれ反対の形状に形成してもよく、図２１のように、雄の継ぎ手形状にした場合、断面六角形状にしたり、あるいは、図２３のようにキー溝４８を設けて断面十字としてもよく、さらに、図示は省略するが、雌雄のない同一形状の継ぎ手形状に形成してもよい。４９は係合ピン２７が係合する係合溝である。
また、図１０のように、分割作業ロッド１の上側接続部１０の係合溝２６が上下（図１０において左右）に位相を変えて設けている場合、図２４のように、吊り金具１５の金具側接続部１９に左右一対のピン挿入孔２８を係合溝２６に合わせて上下に並設しておくと、ピン挿入孔２８と分割作業ロッド１の係合溝２６との位置合わせを容易にできて好適である。
【００２１】
（実施形態の作用）
本発明は上記構成であり、例えば、ベースマシン３に設けたリーダー４に昇降自在に取付けた回転駆動部５の回転軸体６に作業ロッドＲの上部を接続するにあたり、複数の分割作業ロッド１を吊り金具１５を使用して運搬移動させて、各分割作業ロッド１を長さ方向に継ぎ足して所定長さの作業ロッドＲとして使用する。
この分割作業ロッド１の継ぎ足し、切り離し等のために使用する吊り金具１５は、吊り装置Ｔに吊すときに使用する吊用取付部１８と分割作業ロッド１の上側接続部１０に装着される金具側接続部１９を設けて構成し、垂直状態の分割作業ロッド１は吊り装置Ｔに吊り金具１５の係合部材２１を係合させて吊り下げている。
この場合、吊り金具１５の吊用取付部１８の板厚より広く、かつ、吊り金具１５の金具側接続部１９の外径より狭い幅に形成した一対の係合部２２を吊用取付部１８の挿通孔２０の左右両側に位置させ、この状態の係合部２２を挿通孔２０に挿通した軸部材２３により連結して、係合部材２１を吊り金具１５に取付ける。
【００２２】
そのため、係合部材２１の係合部２２は常に吊り装置Ｔに対して同じ方向で対峙するので、吊り金具１５の吊り装置Ｔへの係合を容易にしている。
分割作業ロッド１の上側接続部１０に吊り金具１５の金具側接続部１９を接続する作業は、吊り金具１５は所定の重量を有して構成されており、人力作業で吊り金具１５を持ち上げて分割作業ロッド１に接続するのは容易ではないので、吊り装置Ｔにより吊り金具１５を吊り下げた状態で分割作業ロッド１に接続するが、本発明では、分割作業ロッド１が起立姿勢以外の姿勢では、吊り金具１５を接続する前の分割作業ロッド１の姿勢に合わせて、吊り金具１５の吊り下げ姿勢を姿勢変更保持手段３０により変更させて保持し、この状態で、吊り金具１５の金具側接続部１９の軸心方向（接続方向）を分割作業ロッド１の上側接続部１０に対峙させて接続する。
【００２３】
すなわち、吊り金具１５は、金具側接続部１９の軸心方向が接合させようとする分割作業ロッド１の軸心方向に一致するように、吊り装置Ｔに姿勢変更保持手段３０により姿勢を変更させて吊り下げ、吊り装置Ｔで吊り金具１５の重量を支持したまま移動させ、この支持状態で吊り金具１５と分割作業ロッド１との位置合わせと接続を手作業により行う。
そのため、吊り金具１５の接続作業をする間、吊り金具１５の重量を人力で支持する必要がなく、頗る作業を容易にする。
したがって、吊り金具１５は、姿勢変更保持手段３０により横向きの分割作業ロッド１に合わせて、吊り金具１５の金具側接続部１９の軸心方向を横向きの横倒れ姿勢にして、分割作業ロッド１への接続作業を行う。
【００２４】
姿勢変更保持手段３０は、上部に吊り装置Ｔ側に係合する上側連結部３１を設け、下部に吊り金具１５側の金具側係合部３２に係合する下側連結部３３を有して構成しているので、姿勢変更保持手段３０の上側連結部３１を吊り装置Ｔに係合させ、姿勢変更保持手段３０の下側連結部３３を吊り金具１５の金具側係合部３２に係合させると、吊り金具１５は横向き姿勢で吊り装置Ｔに吊り下げられ、横倒れの姿勢の分割作業ロッド１に吊り金具１５の金具側接続部１９を容易に接続できる。
【００２５】
この場合、姿勢変更保持手段３０は、吊り装置Ｔ側と吊り金具１５側を連結する構成であればよく、構成は任意であり、一例を示すと、姿勢変更保持手段３０は吊り装置Ｔ側に装着（係合）する上側連結部３１と、吊り金具１５側に装着（係合）する下側連結部３３を有した連結部材３０Ａにて構成していればよく、図１１Ｂの連結部材３０Ａでは、所謂マスターリンクと称される継ぎ目の無い「Ｏ」型形状の接続金具により構成しているので、上部の円弧部が上側連結部３１となり、下部の円弧部が下側連結部３３に構成されことになり、連結部材３０Ａの上側連結部３１を吊り装置Ｔ側に吊り下げ、連結部材３０Ａの下側連結部３３を吊り金具１５の金具側係合部３２に係合させ、この状態で、吊り装置Ｔを上昇させると、吊り金具１５は吊り装置Ｔに横向きに吊り下げられる。
【００２６】
このとき、金具側係合部３２は横向き吊り金具１５の重心Ｇの略上方位置に設けているので、吊り金具１５を簡単に横向き姿勢に保持できる。
すなわち、姿勢変更保持手段３０の連結部材３０Ａが取り付けられる金具側係合部３２は横向き吊り金具１５の重心Ｇの略上方位置に設けているので、姿勢変更保持手段３０の連結部材３０Ａのみにより吊り金具１５を吊り装置Ｔに横向きに吊り下げることができ、簡素な構成で横向き姿勢の分割作業ロッド１に吊り金具１５の姿勢を合わせられる。
また、金具側係合部３２は、一例として、突起３６により係合溝３７を形成して構成しているので、仮に、例えば、図１８のように、吊り装置Ｔに係合部材２１により吊り金具１５を吊り下げていても、吊り装置Ｔを下降させて、吊り金具１５を横向きにし、この状態で、吊り金具１５の金具側係合部３２に姿勢変更保持手段３０の連結部材３０Ａの下側連結部３３を係合させれば、吊り金具１５を横向き姿勢に保持できる。
【００２７】
金具側係合部３２は係合溝３７を有していれば形状は任意であるが、図１１（Ａ）の起立姿勢状態の吊り金具１５を基準に下向きに係合溝３７を形成した金具側係合部３２では、図１１（Ａ）において右側から姿勢変更保持手段３０の下側連結部３３を係合溝３７に係合させると、吊り金具１５の横向き姿勢を保持できる。
同様に、図１３の起立姿勢状態の吊り金具１５を基準に上向きに係合溝３７を形成した金具側係合部３２では、図１３において左側から姿勢変更保持手段３０の下側連結部３３を係合溝３７に係合させると、吊り金具１５の横向き姿勢を保持できる。
同様に、図１４の起立姿勢状態の吊り金具１５を基準に左右方向の左右いずれかの方向に係合溝３７を開口させて形成した金具側係合部３２では、図１４において奥側あるいは手前側から係合溝３７に姿勢変更保持手段３０の下側連結部３３を係合させると、吊り金具１５の横向き姿勢を保持できる。
【００２８】
また、図１５の姿勢変更保持手段３０では、吊り装置Ｔに予め吊り下げた接続金具３５（第二連結部材３０Ｂ）に、一対の「Ｕ」の字形状の半割部材３８を軸形状の連結軸部材３９により連結して「Ｏ」の形状に形成した第一連結部材３０Ａを連結し、この第一連結部材３０Ａの下側半割部材３８の下側連結部３３を金具側係合部３２に係合させて、吊り金具１５を横向きの吊り姿勢に保持する。
また、図１８のように、予め吊り装置Ｔに接続金具３５（第二連結部材３０Ｂ）を吊設しておき、この接続金具３５（第二連結部材３０Ｂ）に係合部材２１を予め挿通させて吊り金具１５が起立姿勢で吊り装置Ｔに吊り下げた状態とし、一旦、吊り下げた吊り金具１５を吊り装置Ｔにより下降させて地面に置く等の任意の方法により横向きにし、この状態で、横向きにした吊り金具１５の金具側係合部３２に吊り装置Ｔの接続金具３５（第二連結部材３０Ｂ）に予め挿通させておいた半割部材３８の連結部材３０Ａを係合させると、吊り金具１５は横向きに吊り下げられて、図１２の状態になる。
【００２９】
図１９の実施形態では、姿勢変更保持手段３０を、逆さ「Ｕ」の字形状の一対の係合脚４０の下部を軸部材４１により連結して連結部材３０Ａを構成し、連結部材３０Ａの一対の係合脚４０を吊り装置Ｔに直接吊り下げ、連結部材３０Ａの軸部材４１は吊り金具１５側に設けた透孔４３により形成した金具側係合部３２に挿通させた構成としているので、予め、連結部材３０Ａは吊り金具１５の金具側係合部３２の透孔４３に軸部材４１を挿通し、この軸部材４１に係合脚４０の下部を取付け、この係合脚４０を起立させて吊り装置Ｔに係合させて吊り下げる。
なお、吊り装置Ｔに吊り下げた状態の連結部材３０Ａの係合脚４０に、金具側係合部３２の透孔４３に挿通した軸部材４１を挿通してもよく、作業順序は任意である。
【００３０】
図２０の別の実施形態では、吊り装置Ｔの接続金具３５（第二連結部材３０Ｂ）にリング部材４４（連結部材３０Ａ）により中間フック４５（第三連結部材３０Ｃ）を予め吊設しているので、吊り金具１５側の金具側係合部３２を軸部材により逆さ「Ｕ」の字形状に形成した係合孔４６に、中間フック４５を係合させて吊り金具１５を横向きに吊り下げ、吊り金具１５の横向き姿勢を保持する。
なお、本発明では、姿勢変更保持手段３０のみによって吊り金具１５の横向き姿勢を保持するが、係合部材２１と姿勢変更保持手段３０とにより吊り金具１５の横向き姿勢を保持してもよい。
【００３１】
また、上述した作業手順は、任意であり、姿勢変更保持手段３０を別途用意しておき、吊り金具１５を横向き姿勢にしておいて、吊り金具１５の金具側係合部３２に姿勢変更保持手段３０の連結部材３０Ａの下側連結部３３を係合させ、次に、吊り装置Ｔ側の接続金具３５（第二連結部材３０Ｂ）に第一連結部材３０Ａの上側連結部３１を係合させてもよい。
また、一部の図面では理解を容易にするために、吊り金具１５の係合部材２１の図示は省略しているが、これにより、本発明の構成は限定されない。
【００３２】
また、姿勢変更保持手段３０を、連結部材３０Ａと接続金具３５（第二連結部材３０Ｂ）等により種々の形状の連結部材を用意し、複数の連結部材を適宜選択して組み合わせて構成してもよく、吊り装置Ｔに吊り金具１５の吊り下げ姿勢を変更できれば、構成は任意である。
しかして、姿勢変更保持手段３０により横向きに吊り下げた吊り金具１５の金具側接続部１９を分割作業ロッド１の上側接続部１０に接続すると、姿勢変更保持手段３０の下側連結部３３を金具側係合部３２から外し、次に、姿勢変更保持手段３０による姿勢保持状態を解除し、吊り金具１５と分割作業ロッド１を、吊り装置Ｔにより上昇させて運搬し、運搬した分割作業ロッド１の下側接続部１１を別途用意した分割作業ロッド１の上側接続部１０に接続し、次に、分割作業ロッド１の上側接続部１０から吊り金具１５を取り外し、取り外した吊り金具１５を、前記のように姿勢変更保持手段３０により横向き姿勢に変更保持して次の接続作業用の別の横向きの分割作業ロッド１に接続し、これを反復して、複数の分割作業ロッド１を接続して土木作業に使用する所望長さの作業ロッドＲとする。
【符号の説明】
【００３３】
１…分割作業ロッド、２…掘削装置、３…ベースマシン、４…リーダー、５…回転駆動部、６…回転軸体、１０…上側接続部、１１…下側接続部、１５…吊り金具、１６…ワイヤー、１７…吊用フック、１８…吊用取付部、１９…金具側接続部、２０…挿通孔、２１…係合部材、２２…係合部、２３…軸部材、２５…嵌合穴、２６…係合溝、２７…係合ピン、２８…ピン挿入孔、３０…姿勢変更保持手段、３０Ａ…連結部材（第一連結部材）、３０Ｂ…第二連結部材、３０Ｃ…第三連結部材、３１…上側連結部、３２…金具側係合部、３３…下側連結部、３５…接続金具、３６…突起、３７…係合溝、３８…半割部材、３９…連結軸部材、４０…係合脚、４１…軸部材、４３…透孔、４４…リング部材、４５…中間フック、４８…キー溝、４９…係合溝、Ｔ…吊り装置、Ｒ…作業ロッド。
【図１】
2019043709.tif 000003
【図２】
2019043709.tif 000004
【図３】
2019043709.tif 000005
【図４】
2019043709.tif 000006
【図５】
2019043709.tif 000007
【図６】
2019043709.tif 000008
【図７】
2019043709.tif 000009
【図８】
2019043709.tif 000010
【図９】
2019043709.tif 000011
【図１０】
2019043709.tif 000012
【図１１】
2019043709.tif 000013
【図１２】
2019043709.tif 000014
【図１３】
2019043709.tif 000015
【図１４】
2019043709.tif 000016
【図１５】
2019043709.tif 000017
【図１６】
2019043709.tif 000018
【図１７】
2019043709.tif 000019
【図１８】
2019043709.tif 000020
【図１９】
2019043709.tif 000021
【図２０】
2019043709.tif 000022
【図２１】
2019043709.tif 000023
【図２２】
2019043709.tif 000024
【図２３】
2019043709.tif 000025
【図２４】
2019043709.tif 000026